(57)【要約】      （修正有）【課題】照射する光線に依存することなく、高い装飾効果を備えた装飾用シールと、その包装方法を提供する。【解決手段】装飾用の絵柄を備え、かつ人体や物品に付着する付着材を表面若しくは裏面に備える絵柄部７と、付着した絵柄部７の上面から貼着し、かつ複数のビーズ１０を貼着する貼着部材１１を備えるビーズ部９とから構成する。これにより、絵柄部にデザインされている絵柄による装飾効果に加えて、ビーズ部に貼着されているビーズによる立体的な装飾を行うことができる。【選択図】      図２
2004351795.tif 000002
【特許請求の範囲】
【請求項１】
人体や物品に付着してそれらを装飾する装飾用シールであって、
装飾用の絵柄を備え、かつ人体や物品に付着する付着材を表面若しくは裏面に備える絵柄部と、付着した前記絵柄部の上面から貼着し、かつ複数のビーズを貼着する貼着部材を備えるビーズ部とからなる装飾用シール。
【請求項２】
前記絵柄部は、前記付着材を表面に備えてなり、人体や物品に前記絵柄を転写して付着する請求項１記載の装飾用シール。
【請求項３】
前記複数のビーズは、ガラス又は合成樹脂からなる請求項１記載の装飾用シール。
【請求項４】
前記貼着部材は、予め決められた配列パターンに複数のビーズを連続して貼着すると共に、該配列パターンを維持してなる請求項１記載の装飾用シール。
【請求項５】
前記ビーズ部の貼付位置を決めるための位置決めマーカーを前記絵柄部に備えてなる請求項１記載の装飾用シール。
【請求項６】
前記絵柄部の絵柄は、星座の星座絵であり、前記ビーズ部に配列された複数のビーズの一部又は全ては該星座を構成する星を示す請求項１記載の装飾用シール。
【請求項７】
装飾用の絵柄を備え、かつ人体や物品に転写して付着する付着材を表面に備える絵柄部と、付着した前記絵柄部の上面から貼着し、かつ複数のビーズを貼着する貼着部材を備えるビーズ部とからなる装飾用シールと、他の商品とを包装する包装方法であって、
前記絵柄を転写したイメージ絵を示した転写イメージシートによって、前記絵柄部を備えた絵柄部シートを外部から視認できないように配置し、
前記イメージ絵に重なるように前記ビーズ部を透明シート上に備えたビーズ部シートを前記転写イメージシートの前面に配置し、
前記絵柄部シート、前記転写イメージシート及び前記ビーズ部シートと、これらシートの最背面に他の商品を配置し、
前記重ね合わせたイメージ絵とビーズ部が外部から視認可能となる透明フィルムを備えた箱体に封入して包装する装飾用シールの包装方法。
【発明の詳細な説明】
【０００１】
【発明の属する技術分野】
本願発明は、腕などの人体の皮膚や、鏡などの物品の小物などに貼付してそれらを装飾する装飾用シールと、この装飾用シールの包装方法に関するものである。
【０００２】
【従来の技術】
従来、鏡、携帯電話、壁などの物品に装飾用シールを貼付する場合には、写真やキャラクタ等の絵柄が印刷されているシールを物品に直接貼り付けて、それらの物品を華やかに装飾している。
【０００３】
また、カラフルにデザインされたシールを腕や顔などの人体（皮膚）に貼り付けて、刺青を模した装飾を行ってもいる。さらに、皮膚に貼付するシールに、リップマンホログラム層を備えさせることにより、該リップマンホログラム層に記憶された物体を立体像として見えるようにして装飾性を高めているシールもある（例えば、特許文献１参照。）。
【０００４】
【特許文献１】
特開２０００−６５８８号公報（第２−３頁、第３−４図）
【０００５】
【発明が解決しようとする課題】
しかしながら、写真やキャラクタなどの絵柄などが示されたシールでは、装飾としてはありふれたものであり、目新しさにかけている。また、リップマンホログラム層を備えたシールでは、太陽光などの指向性の高い光線を照射した場合は、該リップマンホログラム層に記憶された物体が立体像として再現することができるが、電灯などの指向性の低い光線を照射した場合には立体像として再現することができなかった。さらに、指向性の高い光線を照射した場合でも、その入射角によっては立体像として見えないこともあり、より高い装飾効果を備えた装飾用シールが望まれていた。
【０００６】
本願発明は、かかる問題に鑑みてなされたものであり、照射する光線に依存すること無く、装飾効果の高い装飾用シールと、その包装方法を提供することを目的とする。
【０００７】
【課題を解決するための手段】
前記目的を達成するために、本願発明の装飾用シールは、人体や物品に付着してそれらを装飾する装飾用シールであって、装飾用の絵柄を備え、かつ人体や物品に付着する付着材を表面若しくは裏面に備える絵柄部と、付着した前記絵柄部の上面から貼着し、かつ複数のビーズを貼着する貼着部材を備えるビーズ部とからなることを特徴とする。
したがって、絵柄部にデザインされている絵柄による装飾効果に加えて、ビーズ部に貼着されているビーズによる立体的な装飾を行うことができる。
【０００８】
また、前記絵柄部は、前記付着材を表面に備えて、人体や物品に前記絵柄を転写して付着してもよい。
【０００９】
また、前記複数のビーズは、ガラス又は合成樹脂のビーズを用いてもよい。
【００１０】
また、前記貼着部材は、予め決められた配列パターンに複数のビーズを連続して貼着すると共に、該配列パターンを維持して、容易にビーズ部を貼付できるようにしてもよい。
【００１１】
また、前記ビーズ部の貼付位置を決めるための位置決めマーカーを前記絵柄部に備えて、絵柄部の上に容易にビーズ部を貼付できるようにしてもよい。
【００１２】
また、前記絵柄部の絵柄は、星座の星座絵であり、前記ビーズ部に配列された複数のビーズの一部又は全ては該星座を構成する星を示すようにしてもよい。
【００１３】
また、前記装飾用シールの包装方法は、装飾用の絵柄を備え、かつ人体や物品に転写して付着する付着材を表面に備える絵柄部と、付着した前記絵柄部の上面から貼着し、かつ複数のビーズを貼着する貼着部材を備えるビーズ部とからなる装飾用シールと、他の商品とを包装する包装方法であって、前記絵柄を転写したイメージ絵を示した転写イメージシートによって、前記絵柄部を備えた絵柄部シートを外部から視認できないように配置し、前記イメージ絵に重なるように前記ビーズ部を透明シート上に備えたビーズ部シートを前記転写イメージシートの前面に配置し、前記絵柄部シート、前記転写イメージシート及び前記ビーズ部シートと、これらシートの最背面に他の商品を配置し、前記重ね合わせたイメージ絵とビーズ部が外部から視認可能となる透明フィルムを備えた箱体に封入することを特徴とし、装飾用シールと共に、他の商品を包装して販売してもよい。
【００１４】
【発明の実施の形態】
図１は、本願発明に係る装飾用シールを包装する箱体１と、この箱体１に封入されるビーズ部シート２、絵柄部シート３、転写イメージシート４、及び他の商品５を図示している。
【００１５】
前記商品５は、キャンディーやチョコレートなどの菓子類、ビー玉などの玩具類、洗剤などの日用品類、化粧品類などで、本願発明に係る装飾用シール以外のものであれば特に限定するものではない。
【００１６】
前記絵柄部シート３には、図２（ａ）で示すように、表面が滑らかな紙製シート６の表面に、蠍座の星座絵が左右に反転した状態の絵柄部７が付され、さらに該絵柄部７の表面には人体や物品に付着する付着材を備えている。前記絵柄部７を人体（皮膚）に付着させる場合には、中性系接着剤や医療用接着剤などの肌（皮膚）に適した付着材を用い、物品などに付着させることに限定する場合には、それらに限らず剥がれにくい付着材を用いる。この絵柄部７は、表面に付着材を備えているので、人体や物品に付着させる場合には、該絵柄部７を転写して付着させて、左右が反転していない状態の絵柄を付着させる。なお、絵柄部７の表面に付着材を備える場合には、前記絵柄部７の表面を少なくとも覆う付着防止用透明フィルム１４を備えさせて、予定外の付着を防止する。また、絵柄部７を転写して付着させた場合には、物品の曲面や柔らかな皮膚に付着もさせやすい。絵柄部７を人体に付着させるときは、絵柄部７の層（膜）は、薄い層であることが、付着後の違和感がないので望ましい。
【００１７】
図２（ａ）で示している絵柄部７は表面に付着材を備えているが、図５で示すように、絵柄部７の裏面に付着材を備える場合には、絵柄部７の絵柄は、左右に反転していない蠍座の星座絵が示され、該絵柄部７を紙製シート６から剥離して、人体や物品に付着させる。
【００１８】
また、絵柄部７には、人体や物品に付着させた後にビーズ部９の貼付位置を決めるための位置決めマーカー１２を備えている。この位置決めマーカー１２は、絵柄のデザインに対して自然なイメージとなる印し（マーカー）が好ましく、例えば、図２（ａ）に示すように、絵柄が星座絵の場合には位置決めマーカー１２は星をデザインした印し（マーカー）とすると、位置決めマーカー１２は絵柄の一部としてデザインされている状態になり、該絵柄部７を人体や物品に付着させるだけでも十分な装飾効果を得ることができる。なお、本実施例では、絵柄部７の絵柄は、１２星座の蠍座をデザインしているが、他の星座であってもよいし、花やキャラクタをデザインしたものであってもよい。特に１２星座をデザインした場合には、装飾用シールの付着者が属する１２星座を付着することができるので、親しみを感じて装飾用シールを付着することができる。
【００１９】
例えば、図３（ａ）に示すように、前記絵柄部７を腕Ｈに付着させる場合は、付着させる腕Ｈの肌部分を石鹸等で汚れを汚れを落とし、よく乾かす。そして、前記絵柄部シート３に備えている付着防止用透明フィルム１４を剥がし、さらに該絵柄部７の表面と腕Ｈの肌が付着するように該絵柄部シート３を肌に接触させる。その後、水分を含んだスポンジ等で、該紙製シート６の裏面を十分に湿らせ、３０秒〜１分程の間動かないように軽く押さえる。その後、絵柄部７が肌に転写していることを確認しながら紙製シート６をゆっくりと剥がし、１分ほど乾かして、転写させる。上述のように、人体（肌）に絵柄部７を付着させるときには、付着させたときに違和感が無いように絵柄部７を薄い層（膜）で構成することが好ましく、絵柄部７を転写させて付着すると正確かつ綺麗に肌に付着することができる。
【００２０】
ビーズ部シート２は、図２に示すように、透明シート８と、この透明シート８の上面に備えられるビーズ部９を備えている。ビーズ部９が透明シート８に備える位置としては、該ビーズ部シート２を箱体１に挿入したときに箱体１の窓部１５（図４参照）から該ビーズ部９が視認可能となる位置に備える。
【００２１】
また、前記ビーズ部９は、ガラス又は合成樹脂製の複数のビーズ１０と、この複数のビーズ１０を予め決められた配列パターンに連続して貼着し、該配列パターンを維持する貼着部材１１とによって構成され、前記透明シート８の上面に備えられている。前記ビーズ１０の配列としては、前記絵柄部７に対応した配列であり、例えば前記絵柄部７が蠍座の星座絵である場合は、実際の蠍座を構成する星を模してビーズ１０が配列されている。ビーズ１０は、星座を構成する星と同じ数だけ備えさせてもよいが、装飾効果を高めるために図２（ｂ）で示しているように、実際の星の数に依存することなく、多くのビーズ１０を配列してもよい。したがって、ビーズ１０によって平面的な装飾だけでなく、立体的な装飾を行うことができる。さらに、ホログラムのように、照射する光線の指向性や角度に関係すること無く立体的な装飾を行うことができる。また、ガラス製又は合成樹脂製のビーズ１０を用いるので、ビーズの形状、大きさ、色、透明感などを自由に設定することができるので、装飾効果の高いデザインにすることができる。ビーズ１０の色や大きさを変化させる場合には、図２（ｂ）及び図３（ｂ）に示すように、前記絵柄部７に備えられる位置決めマーカー１２の上面に貼着するビーズ１０を、他のビーズ１０に比べて大きさや色が異なるビーズ１０ａを用いて、位置決めビーズ１０ａとする。これによって、絵柄部７に対してビーズ部９の位置決めが容易にできるようにする。
なお、ビーズ１０の配列としては、絵柄部７の絵柄が星座絵である場合には、該星座絵の星座を構成する星をイメージするようにビーズ１０を配列するが、絵柄部７が花の絵柄である場合には、花弁の縁に沿ってビーズ１０を配列したり、絵柄がキャラクタである場合には、該キャラクタの絵柄の装飾を高めるようにビーズ１０を配列する。
前記貼着部材１１は前記付着材と同様に、ビーズ部９を人体（皮膚）などに付着させる場合には、中性系接着剤や医療用接着剤などの肌（皮膚）に適した貼着部材を用い、物品に付着させることに限定する場合には、それらに限らず剥がれにくい貼着部材を用いる。
【００２２】
転写イメージシート４は、図１に示すように、その表面には前記絵柄部シート３の絵柄部７を人体や物品に転写させて付着させた状態のイメージ絵１３を備え、裏面には前記絵柄部７及び前記ビーズ部９を付着方法に関する説明文や、注意を促す注意書などが記載されている。前記イメージ絵１３は、絵柄部シート３に備えている絵柄部７の左右が反転している状態の絵であり、該絵柄部７を転写して付着させた状態の絵である。図１では転写イメージシート４は前記ビーズ部シート２や前記絵柄部シート３とほぼ同じ大きさの一枚のシートであるが、一枚のシートを二つ折り又はそれ以上に折り畳んでビーズ部シート２や絵柄部シート３とほぼ同じ大きさとしてもよい。
【００２３】
また、前記箱体１の前面には、図１及び図４に示すように、頂角が丸みを持った三角形の窓部に窓用透明フィルム１５が備えられ、外部から箱体内部に封入される前記ビーズ部９や転写イメージ絵１３を視認可能としている。前記窓用透明フィルム１５（窓部）の位置としては、前記ビーズ部シート２と絵柄部シート３及び転写イメージシート４の３枚のシートからなる装飾用シールセットＳと商品５とを箱体１に封入したときに、前記ビーズ部シート２のビーズ部９と、前記転写イメージシート４のイメージ絵１３が外部から視認できる位置に設けられている。また、窓部の大きさも該ビーズ部９と該イメージ絵１３の全体が視認できる大きさとなっている。
【００２４】
前記装飾用シールを箱体１に封入して包装するには、図１で示すように、ほぼ同じ大きさの前記ビーズ部シート２と絵柄部シート３、並びに、折り畳んだ状態若しくは折り畳んでいない状態で該ビーズ部シート２と絵柄部シート３とほぼ同じ大きさの転写イメージシート４との３枚のシートの装飾用シールセットＳと商品５を、箱体１に封入して図４に示すように包装する。この包装は、図１で示すように、まず前記絵柄部シート３を外部から視認できないように、前記転写イメージシート４の下面側に配置する。なお、転写イメージシート４が二つ折り又はそれ以上に折り畳んでいる場合には、前記絵柄部シート３を該転写イメージシート４内に挟み込み、外部から視認できないようにしてもよい。そして、該転写イメージシート４のイメージ絵１３にビーズ部９が重なるようにビーズ部シート２を、該転写イメージシート４の上面に配置する。さらに、これら装飾用シールを前記商品５の上面に配置すると共に、これらを箱体１の内部に挿入し、箱を閉じ、装飾用シールを包装する。したがって、箱体１の窓部から封入されている装飾用シールセットＳ（装飾用シール）の種類を確認することができると共に、装飾用シールを付着した状態も確認することができる。
【００２５】
【発明の効果】
以上の如く、本願発明の装飾用シールは、絵柄部とビーズ部とをそれぞれ備えているので、絵柄部には多様なデザインを施すことができ、かつ平面的な装飾に限られる絵柄に対して、ビーズが立体的な装飾効果を付加することができ、今までにない斬新な装飾が可能な装飾用シールを得ることができる。また、照射する光線の角度や指向性に関係することなくビーズ部が立体的な装飾を行うことができる。
【００２６】
また、絵柄部の表面には付着材を備え、絵柄部を転写して人体や物品に付着させるので、物品の曲面や柔らかな皮膚に付着させることができる。また、薄い層（膜）の絵柄部を人体に付着させることができ、付着後の違和感を少なくすることができる。
【００２７】
また、ビーズ部に備えられる複数のビーズは、ガラス又は合成樹脂製のビーズなので、形状、大きさ、色、透明感などを自由に設定することができ、装飾効果の高いビーズ部を得ることができる。
【００２８】
また、複数のビーズは、貼着部材によって予め決められた配列パターンに貼着されるので、多数のビーズを一つずつ絵柄に貼着する必要性がない。また、ビーズの配列パターンを維持するので、予め決められたデザインに従ってビーズ部を簡単に貼着することができる。
【００２９】
また、絵柄部には、ビーズ部の貼着位置を決めるための位置決めマーカーを備えているので、ビーズ部を貼着する位置がわかりやすく、貼着位置のずれがおきにくい。
【００３０】
また、絵柄部が星座絵であり、ビーズ部がその星座を構成する星を示しているので、星座の星座絵のデザインの装飾性に加えて、ビーズによって星が輝くイメージを連想する装飾効果を得ることができる。
【００３１】
また、装飾用シールと他の商品とを封入する箱体には、封入されている装飾用シールを外部から視認可能な窓部を備えているので、購入者は、封入されている装飾用シールの種類を確認した上で購入することができる。
【図面の簡単な説明】
【図１】箱体に封入される絵柄部シート、ビーズ部シート、転写イメージシート及び他の商品を示した図である。
【図２】絵柄部シートとビーズ部シートの詳細説明図である。
【図３】絵柄部及ぶビーズ部を腕に付着させた状態の説明図である。
【図４】装飾用シールを箱体に封入して装飾している状態の説明図である。
【図５】絵柄部シートの別実施例の説明図である。
【符号の説明】
１    箱体          ２    ビーズ部シート
３    絵柄部シート
４    転写イメージシート
５    商品          ６    紙製シート
７    絵柄部        ８    透明シート
９    ビーズ部    １０    ビーズ
１０ａ  位置決めビーズ
１１    貼着部材    １２    位置決めマーカー
１３    イメージ絵
１４    付着防止用透明フィルム
１４    透明フィルム
１５    窓用透明フィルム
Ｈ  腕              Ｓ  装飾用シールセット
【図１】
2004351795.tif 000003
【図２】
2004351795.tif 000004
【図３】
2004351795.tif 000005
【図４】
2004351795.tif 000006
【図５】
2004351795.tif 000007